【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】  デコードされたプログラムのデータを与えるために、プログラム・マップ情報を含むＭＰＥＧ互換のパケット化されたプログラム情報のデータ・ストリームをデコードするための装置であって、
前記パケット化されたプログラム情報内で伝達されるチャネル・マップ情報を識別する手段と、
前記プログラムを構成する前記個々のパケット化されたデータ・ストリームを識別するためのチャネル・マップを形成するために前記識別された情報をアセンブルする手段と
を備え、前記チャネル・マップ情報は前記ＭＰＥＧ互換のプログラム・マップ情報で伝達される情報を複製し、前記複製された情報は、放送チャンネルを、当該放送チャンネル上で送信されるプログラムを構成する個々のパケット化されたデータ・ストリームを識別するのに使用されるパケット識別子に関連づけることを特徴とする装置。
【請求項２】  前記チャネル・マップ情報は、個別のプログラムを対応するプログラム・クロック・リファレンス（ＰＣＲ）にさらに関連づけることを特徴とする請求項１に記載の装置。
【請求項３】  前記チャンネル・マップ情報は、さらに、個々のプログラムを対応する言語タイプ識別子に関連づけることを特徴とする請求項１に記載の装置。
【請求項４】  前記チャンネル・マップ情報は、さらに、個々のプログラムを対応する物理伝送チャンネル搬送周波数に関連づけることを特徴とする請求項１に記載の装置。
【請求項５】  前記プログラムを取得するために、前記チャンネル・マップ情報を使用して、前記放送チャンネル上で伝送される前記プログラムを受信するためにチューニングする手段をさらに備えることを特徴とする請求項１に記載の装置。
【請求項６】  前記チャンネル・マップ情報は、さらに、前記パケット識別子を、前記放送チャンエルを識別するために対応する物理伝送チャンネル搬送周波数に関連づけることを特徴とする請求項１に記載の装置。
【請求項７】  前記デコードするための装置は、前記第一と第２の識別番号に応答して、前記放送チャンネル上で伝送される前記プログラムを取得することを特徴とする請求項６に記載の装置。
【請求項８】  前記情報は、前記放送チャンネルを、前記チャンネル・マップ情報のディスクリプタ・セクションで搬送された前記パケット識別子に関連づけることを特徴とする請求項１に記載の装置。
【請求項９】  前記チャンネル・マップ情報は、複数の放送チャンネルを対応するディスクリプタ・セクションに関連づけることを特徴とする請求項８に記載の装置。
【請求項１０】  前記チャンネル・マップ情報は、さらに、データ・ストリーム・タイプ・インジケータを個々のパケット化されたデータ・ストリームに関連づけ、前記データストリーム・タイプ・インジケータは、ａ）オーディオ情報、ｂ）ビデオ情報のうちの少なくとも１つを前記個々のパケット化されたデータ・ストリームが収容するかどうかを識別することを特徴とする請求項１に記載の装置。
【請求項１１】  デコードされたプログラムのデータを与えるために、ＭＰＥＧ互換のパケット化されたプログラム情報をデコードするための装置であって、
前記パケット化されたプログラム情報内で伝達されるチャネル・マップ情報を識別する手段であって、前記チャネル・マップ情報は、放送チャネルを、前記放送チャネルで送信されるプログラムを構成する個々のパケット化されたデータ・ストリームを識別するために使用されるパケット識別子と、関連づけるチャネル・マップ情報を識別する手段と、
前記プログラムを構成する前記個々のパケット化されたデータ・ストリームを識別するためのチャネル・マップを形成するために、前記識別された情報をアセンブルする手段と
を備え、前記チャネル・マップ情報は個別のプログラムを対応する言語のタイプのインジケータに関連づけることを特徴とする装置。
【請求項１２】 前記チャネル・マップ情報は、個々のプログラムを対応するプログラム・クロック・リファレンス（ＰＣＲ）値に関連づけることを特徴とする請求項１１に記載の装置。
【請求項１３】  ビデオ・プログラムと、
ＭＰＥＧ互換のプログラム・マップ情報と、
前記ＭＰＥＧ互換のディジタル・データ内に含まれるチャネル・マップ情報と
を備えるビデオ情報であって
前記チャネル・マップ情報は、前記ＭＰＥＧ互換のプログラム・マップ情報で伝達される情報を複製し、前記複製された情報は、パケット識別子を、前記ビデオ・プログラムを構成する個々のパケット化されたデータ・ストリームに関連づけることを特徴とするビデオ情報を表す前記ＭＰＥＧ互換ディジタルのデータを含む記憶媒体。
【請求項１４】 ビデオ・プログラムと、
ＭＰＥＧ互換のプログラム・マップ情報と、
前記ＭＰＥＧ互換のディジタル・データ内に含まれ、パケット識別子を、前記ビデオ・プログラムを構成する個々のパケット化されたデータ・ストリームに関連づけるチャネル・マップ情報と
を備える、ビデオ情報であって
前記チャネル・マップ情報は、前記ＭＰＥＧ互換のプログラム・マップ情報で伝達される情報を複製し、個々のプログラムを対応する言語タイプ・インジケータに関連づけることを特徴とするビデオ情報を表す前記ＭＰＥＧ互換ディジタルのデータを含む記憶媒体。
【請求項１５】 前記チャンネル・マップ情報は、さらに、個々のプログラムを対応するプログラム・クロック・リファレンス（ＰＣＲ）値に関連づけることを特徴とする請求項１３に記載の記憶媒体。
【請求項１６】  デコードされたプログラムのデータを与えるために、プログラム・マップ情報を含むＭＰＥＧ互換のパケット化されたプログラム情報をデコードするのに適したプログラム・ガイド情報を形成する装置であって、
チャネル・マップを形成する手段と、
出力するために、前記チャネル・マップ情報をパケット化されたプログラム・ガイド情報に組み込む手段と
を備え、
前記チャネル・マップ情報は、前記ＭＰＥＧ互換のプログラム・マップ情報で伝達される情報を複製し、前記複製された情報は、放送チャンネルを、当該放送チャンネル上で伝送されるプログラムを構成する個々のパケット化されたデータ・ストリームを識別するのに使用されるパケット識別子に関連づけることを特徴とする装置。
【請求項１７】  前記チャネル・マップ情報は、さらに、個別のプログラムを、対応するプログラム・クロック・リファレンス（ＰＣＲ）の値に関連づけることを特徴とする請求項１６に記載の装置。
【請求項１８】  前記チャネル・マップ情報は、さらに、個別のプログラムを対応する言語のタイプのインジケータに関連づけることを特徴とする請求項１６に記載の装置。
【請求項１９】  前記チャネル・マップ情報は、さらに、前記パケット識別子を、前記放送チャネルを識別するために連係して使用される第１と第２の識別番号に関連づけることを特徴とする請求項１６に記載の装置。
【請求項２０】  前記放送チャネルを前記パケット識別子に関連づける前記情報は、前記チャネル・マップ情報のディスクリプタ・セクション内で伝達されることを特徴とする請求項１６に記載の装置。
【請求項２１】  前記チャネル・マップ情報は、複数の放送チャネルを対応するディスクリプタ・セクションに関連づけることを特徴とする請求項２０に記載の装置。
【請求項２２】  前記チャネル・マップ情報は、さらに、データ・ストリームのタイプのインジケータを、個別のパケット化されたデータ・ストリームに関連づけ、前記データ・ストリームのタイプのインジケータは、前記個別のパケット化されたデータ・ストリームが、ａ）オーディオ情報、およびｂ）ビデオ情報のうちの少なくとも１つを含むかどうかを識別することを特徴とする請求項１６に記載の装置。
【請求項２３】  デコードされたプログラムのデータを与えるために、プログラム・マップ情報を含むＭＰＥＧ互換のパケット化されたプログラム情報をデコードするための方法であって、
前記パケット化されたプログラム情報内で伝達されるチャネル・マップ情報を識別するステップと、
前記プログラムを構成する前記個々のパケット化されたデータ・ストリームを識別する際の使用に適したチャネル・マップを形成するために前記識別された情報をアセンブルするステップと
を備え、前記チャネル・マップ情報は、前記ＭＰＥＧ互換のプログラム・マップ情報で伝達される情報を複製し、前記複製された情報は、パケット識別子を放送チャンネル上で伝送されるプログラムを構成する個々のパケット化されたデータ・ストリームに関連づけることを特徴とする方法。
【請求項２４】  デコードされたプログラムのデータを与えるために、プログラム・マップ情報を含むＭＰＥＧ互換のパケット化されたプログラム情報をデコードするために適したプログラム・ガイド情報を形成するための方法であって、
チャネル・マップ情報を形成するステップと、
前記チャネル・マップ情報を、出力するためにパケット化されたプログラム・ガイド情報に組み込むステップと
を備え、
前記チャネル・マップは、前記ＭＰＥＧ互換のプログラム・マップ情報で伝達される情報を複製し、前記複製された情報は、放送チャンネルを、前記放送チャンネル上で伝送されるプログラムを構成する個々のパケット化されたデータ・ストリームを識別するのに使用されるパケット識別子に関連づけることを特徴とする方法。